(57)【要約】【課題】  罠装置の作動情報の正確な把握を可能にすると共に、通知情報（通知データ）の保存及び活用を充分に図ることができる罠装置用作動情報管理システムを提供する。【解決手段】  イノシシやシカ等の有害鳥獣を捕獲する罠装置８に取り付けられた送信機１と、送信機から送信された電子メールを受信する携帯電話９によって罠装置の作動情報を管理する罠装置用作動情報管理システムにおいて、送信機は、罠装置の作動情報を検出する作動情報検出手段３と、作動情報検出手段により検出された作動情報を記載した電子メールを送信する電子メール送信手段５と、作動情報検出手段及び電子メール送信手段を駆動するバッテリー６と、作動情報検出手段、電子メール送信手段及びバッテリーを収容する防水性の収容ケース２とを備える。【選択図】    図１
2006340627.tif 000002
【特許請求の範囲】
【請求項１】
動物を捕獲する罠装置に取り付けられた送信機と、該送信機から送信された所定の情報を受信する受信機とによって、前記罠装置の作動情報を管理する罠装置用作動情報管理システムにおいて、
前記送信機は、前記罠装置の作動情報を検出する作動情報検出手段と、
該作動情報検出手段により検出された作動情報を文字情報として送信する作動情報送信手段と、
前記作動情報検出手段及び前記作動情報送信手段を駆動するための電源と、
前記作動情報検出手段、作動情報送信手段及び電源を収容する防水性の筺体とを備え、
前記受信機は、前記作動情報送信手段が送信する作動情報を受信する作動情報受信手段と、
該作動情報受信手段が受信する作動情報に基づいて前記罠装置の作動情報を文字情報として表示する表示手段とを備える
ことを特徴とする罠装置用作動情報管理システム。
【請求項２】
前記送信機は、前記罠装置に捕獲された動物の画像を撮影する撮影手段と、
該撮影手段により撮影された画像を送信する画像送信手段とを備え、
前記受信機は、前記画像送信手段が送信する画像を受信する画像受信手段を備え、
前記表示手段は、前記画像受信手段が受信する画像を表示する
ことを特徴とする請求項１に記載の罠装置用作動情報管理システム。
【請求項３】
前記作動情報送信手段は、作動情報を電子メールにて送信する
ことを特徴とする請求項１に記載の罠装置用作動情報管理システム。
【請求項４】
前記送信機は、前記罠装置の現在位置を位置情報として検出する位置検出手段と、
該位置検出手段により検出された位置情報を送信する位置情報送信手段とを備え、
前記受信機は、前記位置情報送信手段が送信する位置情報を受信する位置情報受信手段を備え、
前記表示手段は、前記位置情報受信手段が受信する位置情報に基づいて前記罠装置の現在位置を表示する
ことを特徴とする請求項１に記載の罠装置用作動情報管理システム。
【請求項５】
前記位置検出手段は、ＧＰＳシステムである
ことを特徴とする請求項４に記載の罠装置用作動情報管理システム。
【請求項６】
動物を捕獲する罠装置に取り付けられた送信機によって前記罠装置の作動情報を管理する罠装置用作動情報管理システムにおいて、
前記送信機は、前記罠装置の作動情報を検出する作動情報検出手段と、
該作動情報検出手段により検出された作動情報を、同作動情報を受信し、前記罠装置の作動情報を文字情報として表示する受信機に文字情報として送信する作動情報送信手段と、
前記作動情報検出手段及び前記作動情報送信手段を駆動するための電源と、
前記作動情報検出手段、作動情報送信手段及び電源を収容する防水性の筺体とを備える
ことを特徴とする罠装置用作動情報管理システム。
【発明の詳細な説明】
【技術分野】
【０００１】
本発明は罠装置用作動情報管理システムに関する。詳しくは、動物を捕獲する罠装置に取り付けられた送信機によって罠装置の作動情報管理を行なう罠装置用作動情報管理システムに係るものである。
【背景技術】
【０００２】
近年、有害鳥獣による農作物の被害が各地より報告されており、かかる有害鳥獣への対策として現状では、「有害鳥獣捕獲」による狩猟が主な対策とされている。
なお、「有害鳥獣捕獲」とは、野生鳥獣が農林水産物等に被害を与える場合や生活環境を悪化させる場合に、その被害を防止するために法律で捕獲が禁止されている種類の野生鳥獣や、法律で捕獲が禁止されている場所、法律で捕獲が禁止されている期間であったとしても、環境大臣、県知事または市町村長の許可を受けることにより、野生鳥獣の捕獲を行なうことができる制度を言う。
【０００３】
そして、実際にイノシシやシカ等を捕獲する場合には、狩猟免許等の資格を有する狩猟有資格者が、例えば特許文献１で示す様な罠装置を山中に仕掛けることにより行なっていた。
【０００４】
ところで、罠装置の作動状況を確認するために、即ち、罠装置にイノシシやシカ等が捕獲されているか否かの確認を行なうために山中に設置した罠装置毎に定期的な巡回を行なっていたのでは、効率的な運用ができないと共に、イノシシやシカ等に警戒心を与えてしまって捕獲効率の低下につながる恐れがある。また、罠装置の設置者以外の人に罠装置の設置場所を見破られて、イタズラや罠装置で捕獲したイノシシやシカ等を横取りされるというケースも生じていた。
【０００５】
これに対して、罠装置に取り付けられた発信器から携帯電話若しくは自宅や職場の固定電話に音声によって通知するシステムが提案されている（例えば、非特許文献１参照。）。
即ち、図２で示す様に、罠装置が作動した際には、罠装置１０１に取り付けられた発信器１０２から音声信号が送信され、発信器からの音声信号を携帯電話１０３等で聞き取ることによって罠装置の作動情報を確認するといったシステムが提案されている。
【０００６】
【特許文献１】特開２００３−１３４９８４号公報
【０００７】
【非特許文献１】インターネット<ＵＲＬ：ｈｔｔｐ：／／ｗｗｗ．ｓａｎｓｅｉｋｏｕｋｉ．ｃｏ．ｊｐ／ｗａｎａ／ｓｈｏｈｉｎ／ｍｕｓｅｎ／ｋａｎｒｉ／ｋａｎｒｉ．ｈｔｍ>
【発明の開示】
【発明が解決しようとする課題】
【０００８】
しかしながら、携帯電話等で信号音を聞くことによって罠装置の作動情報の通知を受けるといったシステムでは、充分に効率的な罠装置の管理を行なうことができるとは言い難い。即ち、聴覚的に罠装置の作動情報の通知を受けるのみでは、特に信号音を聞き取る環境が騒々しい場合には、正確にその情報を聞き取ることが困難である場合が多い。
【０００９】
また、環境大臣等の許可により有害鳥獣捕獲が認められたとしても、無制限にその捕獲が認められるものではなく、捕獲情報の統計データを求められることが多いのであるが、信号音による通知の場合には、通知情報（通知データ）の保存、活用が困難である場合が多い。
【００１０】
本発明は以上の点に鑑みて創案されたものであって、罠装置の作動情報の正確な把握を可能にすると共に、通知情報（通知データ）の保存及び活用を充分に図ることができる罠装置用作動情報管理システムを提供することを目的とするものである。
【課題を解決するための手段】
【００１１】
上記の目的を達成するために、本発明に係る罠装置用作動情報管理システムでは、動物を捕獲する罠装置に取り付けられた送信機と、該送信機から送信された所定の情報を受信する受信機とによって、前記罠装置の作動情報を管理する罠装置用作動情報管理システムにおいて、前記送信機は、前記罠装置の作動情報を検出する作動情報検出手段と、該作動情報検出手段により検出された作動情報を文字情報として送信する作動情報送信手段と、前記作動情報検出手段及び前記作動情報送信手段を駆動するための電源と、前記作動情報検出手段、作動情報送信手段及び電源を収容する防水性の筺体とを備え、前記受信機は、前記作動情報送信手段が送信する作動情報を受信する作動情報受信手段と、該作動情報受信手段が受信する作動情報に基づいて前記罠装置の作動情報を文字情報として表示する表示手段とを備える。
【００１２】
また、本発明に係る罠装置用作動情報管理システムでは、動物を捕獲する罠装置に取り付けられた送信機によって前記罠装置の作動情報を管理する罠装置用作動情報管理システムにおいて、前記送信機は、前記罠装置の作動情報を検出する作動情報検出手段と、該作動情報検出手段により検出された作動情報を、同作動情報を受信し、前記罠装置の作動情報を文字情報として表示する受信機に文字情報として送信する作動情報送信手段と、前記作動情報検出手段及び前記作動情報送信手段を駆動するための電源と、前記作動情報検出手段、作動情報送信手段及び電源を収容する防水性の筺体とを備える。
【００１３】
ここで、送信機に設けられた作動情報検出手段によって罠装置の作動情報、即ち、イノシシやシカ等が罠装置に捕獲されているか否かの情報を検出し、同じく送信機に設けられた作動情報送信手段によって作動情報検出手段により検出された作動情報を文字情報として送信すると共に、受信機に設けられた作動情報受信手段で作動情報を受信し、同じく受信機に設けられた表示手段によって罠装置の作動情報を文字情報として表示することで、受信機の表示に基づいて罠装置の作動情報を文字情報として把握することができる。
【００１４】
また、作動情報検出手段及び作動情報送信手段を駆動するための電源によって、電源が確保できない山中であっても罠装置の作動情報を受信機に送信することができる。即ち、送信機に設けられた作動情報検出手段及び作動情報送信手段によって罠装置の作動情報を受信機に送信することは可能であるが、前提として作動情報検出手段及び作動情報送信手段を駆動するための電源が必要となる。そして、一般的に罠装置が仕掛けられる山中には電源が無い。従って、送信機に電源を内蔵することにより、山中であっても作動情報検出手段及び作動情報送信手段を機能させることが可能となる。
【００１５】
更に、作動情報検出手段、作動情報送信手段及び電源を収容する筺体が防水性を有するために現実的な運用が可能となる。即ち、罠装置を設置するのは屋外であり、罠装置は雨風に晒されることとなり、罠装置に取り付けられた送信機も罠装置と同様に雨風に晒されることとなる。ここで、作動情報検出手段や作動情報送信手段、電源等が雨風に晒されると故障の原因となり、安定した継続的な駆動ができないこととなる。従って、防水性の筺体に作動情報検出手段、作動情報送信手段及び電源を収容することによって、作動情報検出手段、作動情報送信手段及び電源を保護することができ、安定して継続的な駆動を実現でき現実的な運用が可能となる。
【発明の効果】
【００１６】
上記した罠装置用作動情報管理システムでは、罠装置の作動情報を文字情報として通知するために、視覚的及び知覚的に罠装置の作動情報を理解することができ、罠装置の作動情報を正確に把握することができる。また、罠装置の通知情報が文字情報であるために、通知情報（通知データ）の保存、活用が容易である。
【発明を実施するための最良の形態】
【００１７】
以下、本発明の実施の形態について図面を参酌しながら説明し、本発明の理解に供する。
図１は本発明を適用した罠装置用作動情報管理システムの一例を説明するための模式図を示す。ここで示す送信機１は、防水性を有する収容ケース２に作動情報検出手段３、画像撮影用カメラ４、電子メール送信手段５、ＧＰＳ受信機１０及びバッテリー６を収容して構成されている。
また、スイッチ７が収容ケースの外側に取り付けられており、このスイッチは罠装置８と接続されている。
【００１８】
ここで、罠装置にイノシシやシカ等が捕獲されると罠装置に接続されたスイッチが引っ張られ、作動情報検出手段のスイッチがオンの状態となる様に構成されている。
即ち、作動情報検出手段は、スイッチが引っ張られるタイミングを検出することによって、罠装置にイノシシやシカ等が捕獲されたタイミングを検出することができる様に構成されている。
【００１９】
また、画像撮影用カメラは罠装置が作動した際に、即ち、スイッチが引っ張られ、作動情報検出手段が罠装置にイノシシやシカ等が捕獲されたと検出した際に、捕獲した有害鳥獣の画像を撮影できる様に構成されている。
【００２０】
また、電子メール送信手段は、罠装置が作動した際に、即ち、スイッチが引っ張られ、作動情報検出手段によって罠装置にイノシシやシカ等が捕獲されたと検出した際に、罠装置が作動した旨の情報（例えば、「罠ポイント○○で作動しました」といった文字）を記載した電子メールに画像撮影用カメラで撮影した画像を添付して、携帯端末用パケット通信（例えば、株式会社ＮＴＴドコモが提供するＤｏＰａ網を利用した通信）を利用して罠装置の設置者の携帯電話９に送信できる様に構成されている。ここで、図１中符合Ａは、電子メール送信手段から送信される電子メールの一例である。
【００２１】
なお、本実施例では、電子メール送信手段から罠装置の設置者の携帯電話に電子メールが送信される場合を例に挙げて説明を行っているが、電子メールの送信先は必ずしも罠装置の設置者の携帯電話である必要は無く、罠装置の設置者のパソコン（図示せず）であっても構わないのは勿論である。
【００２２】
また、電子メール送信手段は、罠装置の設置者に電子メールを送信すると同時に、罠装置の設置者に送信した電子メールと同様の電子メールを捕獲情報の管理を行なうセンター内のパソコン１０にも送信できる様に構成されている。
【００２３】
なお、本実施例では、罠装置の設置者に送信される電子メールと同様の電子メールがセンター内のパソコンに送信される場合を例に挙げて説明を行っているが、センターのパソコンで捕獲情報の統計データを作成するために必要な情報をセンターに送信することができれば充分であり、捕獲情報の統計データを作成することができるのであれば、必ずしも罠装置の設置者に送信される電子メールと同様の電子メールをセンター内のパソコンに送信できる様に構成される必要は無い。
【００２４】
更に、ＧＰＳ受信機は、ＧＰＳ（Ｇｌｏｂａｌ  Ｐｏｓｉｔｉｏｎｉｎｇ  ｓｙｓｔｅｍｓ）を構成する複数のＧＰＳ衛星（図示せず）から提供されるＧＰＳ信号を受信して、罠装置の現在位置を検出することができる様に構成されている。
【００２５】
なお、バッテリーは、作動情報検出手段、画像撮影用カメラ、ＧＰＳ受信機及び電子メール送信手段に接続されており、このバッテリーによって作動情報検出手段、画像撮影用カメラ、ＧＰＳ受信機及び電子メール送信手段の駆動が担保できる様に構成されている。
【００２６】
上記の様に構成された罠装置用作動情報管理システムでは、罠装置の作動情報を電子メールにて得ることができるために、即ち、罠装置の作動情報を視覚的及び知覚的に理解することができる文字情報である電子メールにて得ることができるために、罠装置の作動情報を正確に把握することができる。なお、電子メールに送信元である送信機を特定することができる記載を含めることによって、複数の罠装置を設置した場合であっても、作動した罠情報の特定は可能である。
また、電子メールはデータの保存や管理等が容易であり、罠装置が作動した日時、場所等の履歴情報管理ができ、効率的な罠装置の管理が実現できる。
【００２７】
更に、送信手段から送信される電子メールには罠装置で捕獲した有害鳥獣の画像が添付されているために、罠装置の設置者は捕獲した有害鳥獣の特定を行うことができる。
即ち、捕獲した有害鳥獣がイノシシである場合には、早急に対応しなければ罠装置内で暴れて死亡してしまうことが考えられる等、捕獲した有害鳥獣に応じて対応を異にしなければならないこともあり、罠装置の設置者は捕獲した有害鳥獣の特定を行いたいというニーズがある。そして、電子メールに有害鳥獣の画像を添付することによってかかるニーズに応えることが可能となる。
【００２８】
また、電子メールを罠装置の設置者のみに送信するのではなく、捕獲情報の管理を行なうセンター内のパソコンにも送信することによって、捕獲情報の統計データを作成することができる。
【００２９】
また、ＧＰＳ受信機によって罠装置の現在位置を把握することができるために、山中に数多くの罠装置を設置したとしても、数多くの罠装置の中から特定の罠装置を素早く探し出すことができると共に、罠装置の盗難及び紛失の低減が期待できる。
【図面の簡単な説明】
【００３０】
【図１】本発明を適用した罠装置用作動情報管理システムの一例を説明するための図である。
【図２】従来の罠装置用作動情報管理システムを説明するための模式図である。
【符号の説明】
【００３１】
１    送信機
２    収容ケース
３    作動情報検出手段
４    画像撮影用カメラ
５    電子メール送信手段
６    バッテリー
７    スイッチ
８    罠装置
９    携帯電話
１０    ＧＰＳ受信機
１１    パソコン
【図１】
2006340627.tif 000003
【図２】
2006340627.tif 000004